(57)【要約】【課題】折畳状態での祭壇の高さを背板の高さよりも低くすることができ、もって在庫保管・出荷運搬時に嵩張らない祭壇を提供する。【解決手段】紙製板材からなる複数の面板により二段状に組み立てられ、背面板２１に対して他の面板１１，１２，２２，２３，３１が接近した折畳状態にすることができる祭壇１であって、背面板２１の５／１０〜９／１０の高さレベルに横に延びる折り目２が設けられ、該折り目２が折られることにより前記折畳状態の祭壇１の高さが前記折り目２の高さレベルである。【選択図】図２
0003223461.tif 000002
【実用新案登録請求の範囲】
【請求項１】
紙製板材からなる複数の面板（１１，１２，２１，２２，２３，３１）により二段状に組み立てられ、背面板（２１）に対して他の面板（１１，１２，２２，２３，３１）が接近した折畳状態にすることができる祭壇（１）であって、背面板（２１）の５／１０〜９／１０の高さレベルに横に延びる折り目（２）が設けられ、該折り目（２）が折られることにより前記折畳状態の祭壇（１）の高さが前記折り目（２）の高さレベルであることを特徴とする祭壇。
【請求項２】
他の面板は、下段前面板（１１）、下段台面板（１２）、上段台面板（２２）、上段前面板（２３）及び左右の側面板（３１）を含む請求項１記載の祭壇。
【請求項３】
下段前面板（１１）と下段台面板（１２）は第１部材（１０）に含まれ、背面板（２１）と上段台面板（２２）と上段前面板（２３）は第２部材（２０）に含まれ、左右の側面板（３１）は別々の第３部材（３０）に含まれる請求項２記載の祭壇。
【請求項４】
下段前面板（１１）と下段台面板（１２）とはその間に形成された横に延びる下前折り目（１４）を介して連続し、背面板（２１）と上段台面板（２２）とはその間に形成された横に延びる上後折り目（２５）を介して連続し、上段台面板（２２）と上段前面板（２３）とはその間に形成された横に延びる上前折り目（２６）を介して連続し、左右の側面板（３１）の前後方向中間部に縦に延びる側面折り目（３８）が形成された請求項３記載の祭壇。
【考案の詳細な説明】
【技術分野】
【０００１】
本考案は、紙製板材により二段状に組み立てられ、コンパクトに折り畳むこともできる祭壇に関するものである。
【背景技術】
【０００２】
段ボール等の紙製板材で構成された祭壇が知られている。この祭壇は、簡易で安価であり、一回使用した後に廃棄処分するのに適している。
【０００３】
例えば、特許文献１には、段ボール製の第１部材〜第４部材をそれらに形成した切込溝への嵌合やステープラーでの固着により組み立てる簡易祭壇が記載されている。第１部材は背面板と側面板を構成し、第２部材は第１部材を補強し、第３部材は上段の台部と前面板を構成し、第３部材は上段の台部と前面板を構成する。
【０００４】
特許文献２には、段ボール製の側面部と、側面部に連接されている背面部と、背面部に連接されている頂面部と、底面部とを備え、祭壇又は箱体を形成可能な組立用シートが記載されている。
【０００５】
特許文献３には、段ボール製の支持本体と上段板及び下段板からなる祭壇が記載されている。支持本体は背面板と側面板を構成し、上段板は上段上面と上段前面を構成し、下段板は下段上面と下段前面とを構成する。
【先行技術文献】
【特許文献】
【０００６】
【特許文献１】実開昭５５−１７７７８９号公報
【特許文献２】実用新案登録第３１３５２７３号公報
【特許文献３】特開２０００−９３２８９号公報
【考案の概要】
【考案が解決しようとする課題】
【０００７】
上記の祭壇は、使用場所で二段状の祭壇に組み立てられ、それ以前の在庫保管・出荷運搬は折り畳んだ状態で行われることが多い。この折畳状態は、できる限りコンパクトであることが望まれる。
【０００８】
しかしながら、上記の祭壇は、折畳状態での高さが、各部のうちで最も高さが大きい背板の高さとなり、これより低くはならなかった。このため、在庫保管・出荷運搬時に嵩張るという問題があった。
【０００９】
そこで、本考案の目的は、折畳状態の祭壇の高さを背板の高さよりも低くすることができ、もって在庫保管・出荷運搬時に嵩張らない祭壇を提供することにある。
【課題を解決するための手段】
【００１０】
本考案の祭壇は、紙製板材からなる複数の面板により二段状に組み立てられ、背面板に対して他の面板が接近した折畳状態にすることができる祭壇であって、背面板の６／１０〜８／１０の高さレベルに横に延びる折り目が設けられ、該折り目が折られることにより前記折畳状態の祭壇の高さが前記折り目の高さレベルであることを特徴とする祭壇。
【００１１】
他の面板は、下段前面板、下段台面板、上段台面板、上段前面板及び左右の側面板を含む態様を例示できる。
【００１２】
この態様においてさらに、下段前面板と下段台面板は第１部材に含まれ、背面板と上段台面板と上段前面板は第２部材に含まれ、左右の側面板は別々の第３部材に含まれる態様を例示できる。
【００１３】
この態様においてさらに、下段前面板と下段台面板とはその間に形成された横に延びる下前折り目を介して連続し、背面板と上段台面板とはその間に形成された横に延びる上後折り目を介して連続し、上段台面板と上段前面板とはその間に形成された横に延びる上前折り目を介して連続し、左右の側面板の前後方向中間部に縦に延びる側面折り目が形成された態様を例示できる。
【考案の効果】
【００１４】
本考案の祭壇は、折畳状態の祭壇の高さを背板の高さよりも低くすることができ、もって在庫保管・出荷運搬時に嵩張らないという優れた効果を奏する。
【図面の簡単な説明】
【００１５】
【図１】図１は実施例の祭壇を示し、（ａ）は組立状態の斜視図、（ｂ）は折畳開始時の斜視図である。
【図２】図２は同祭壇を示し、（ａ）は折畳途中の斜視図、（ｂ）は折畳完了直前の斜視図である。
【図３】図３は同祭壇の折畳状態を拡大して示し、（ａ）は正面側から見た斜視図、（ｂ）は背面側から見た斜視図である。
【図４】図４は同祭壇の部材を示し、（ａ）は第１部材の展開図、（ｂ）は第２部材の展開図、（ｃ）は第３部材の展開図である。
【図５】図５は比較例の祭壇を示し、（ａ）は折畳途中の斜視図、（ｂ）は折畳完了直前の斜視図である。
【図６】図６は同祭壇の折畳状態を拡大して示し、（ａ）は正面側から見た斜視図、（ｂ）は背面側から見た斜視図である。
【考案を実施するための形態】
【００１６】
（１）紙製板材
紙製板材としては、特に限定されないが、段ボール、ボール紙等を例示できる。
【００１７】
（２）折り目の高さレベル
背面板の５／１０〜９／１０の高さレベルに折り目があれば、折畳状態での高さを背板の高さよりも目に見えて低くすることができる。
背面板の６／１０〜８／１０の高さレベルに折り目があれば、各面板の寸法設計が容易になるとともに、折畳状態での高さを背板の高さよりも顕著に低くすることができる。
【実施例】
【００１８】
以下、実施例について図面を参照して説明する。なお、実施例の各部の構造、形状、寸法、数等は例示であり、考案の要旨から逸脱しない範囲で適宜変更できる。
【００１９】
図１〜図３に示す実施例の祭壇１は、図４に示す次の４つの部材でできている（いずれも段ボールからなる第１部材１０と第２部材２０と左右の第３部材３０）。まず、４つの部材の詳細を説明する。なお、図１〜図４において、破線は折り目を表し、２点鎖線は折り目なく連続する２つの面板の境界のみを表す。
【００２０】
第１部材１０は、下段前面板１１と下段台面板１２と下段差込板１３とを含み、下段前面板１１と下段台面板１２とはその間に形成された横に延びる下前折り目１４を介して連続し、下段台面板１２と下段差込板１３とはその間に形成された横に延びる下後折り目１５を介して連続する。下段差込板１３の左右部には第１切込１６が形成されている。下段前面板１１の高さは３３９ｍｍ、下段台面板１２の奥行は２５９ｍｍ、下段差込板１３の高さは８０ｍｍであり、これらの横幅は一定（６００ｍｍ）である。
【００２１】
第２部材２０は、背面板２１と上段台面板２２と上段前面板２３と上段差込板２４とを含み、背面板２１と上段台面板２２とはその間に形成された横に延びる上後折り目２５を介して連続し、上段台面板２２と上段前面板２３とはその間に形成された横に延びる上前折り目２６を介して連続し、上段前面板２３と上段差込板２４とは折り目なく連続する。上段前面板２３と上段差込板２４との境界２７を、前述したように２点鎖線で表す。上段差込板２４の左右部には第２切込２８が形成されている。背面板２１の高さは５２４ｍｍ、上段台面板２２の奥行は２６０ｍｍ、上段前面板２３の高さは１８５ｍｍ、上段差込板２４の高さは８０ｍｍであり、これらの幅は一定（６００ｍｍ）である。
【００２２】
左右の第３部材３０は、側面板３１と前フランジ板３２と後フランジ板３３とを含み、側面板３１と前フランジ板３２とはその間に形成された縦に延びる前折り目３４を介して連続し、側面板３１と後フランジ板３３とはその間に形成された縦に延びる後折り目３５を介して連続する。側面板３１は、下段台面板１２を下から受け支える低部３６と、上段台面板２２を下から受け支える高部３７とからなり、低部３６と後部との間には縦に延びる側面折り目３８が形成されているとともに、同間の上端部には第３切込３９が形成されている。前フランジ板３２と後フランジ板３３の各奥行は４０ｍｍ、低部３６と高部３７の各奥行は２５７ｍｍ、低部３６の高さは３３２ｍｍ、高部３７の高さは５１７ｍｍである。
【００２３】
本実施例の特徴として、背面板２１の約７．５／１０の高さレベル（下から３９２ｍｍのレベル）に横に延びる背面途中高折り目２が設けられている。また、側面板３１の高部３７の下から３９２ｍｍのレベルにも横に延びる側面途中高折り目３が設けられている。
【００２４】
これら４つの部材は、左右の第３部材３０の前フランジ板３２と第１部材１０の下段前面板１１の左右の側縁部とが接着剤で接着され、左右の第３部材３０の後フランジ板３３と第２部材２０の背面板２１の左右の側縁部（但し、側面途中高折り目３以下の部位と背面途中高折り目２以下の部位）が接着剤で接着されたことにより、一体化されている。
【００２５】
図１に示す祭壇１は、使用場所において、
・背面板２１を背面途中高折り目２で折れていないように伸ばし、
・側面板３１を側面途中高折り目３で折れていないように伸ばし、
・側面板３１を側面折り目３８で折れていないように伸ばし、
・下段台面板１２を下前折り目１４で後方へ折り、下段差込板１３を下後折り目１５で下方へ折り、下段差込板１３を第３切込３９に差し込んでさらに第１切込１６を第３切込３９に噛み合わせ、
・上段台面板２２を上後折り目２５で前方へ折り、上段前面板２３を上前折り目２６で下方へおり、上段差込板２４を第３切込３９に差し込んでさらに第２切込２８を第３切込３９に噛み合わせることにより、組み立てられる。
【００２６】
こうして、図１に示す祭壇１は、下段前面板１１、下段台面板１２、上段前面板２３、上段台面板２２、背面板２１及び左右の側面板３１を含んで二段状に構成され、下段台面板１２及び上段台面板２２に遺影、位牌、遺骨、仏飯、お供え物、香炉、燭台、線香立て等（図示略）を載置して使用される。
【００２７】
この祭壇１は、在庫保管・出荷運搬時には、図２〜図３に示すようにして、折畳状態にすることができる。すなわち、
・上段差込板２４を第３切込３９から抜いて、背面板２１を背面途中高折り目２で下方へ折り、背面板２１の上部背面途中高折り目２以上の部位と上段台面板２２とを背面板２１の背面途中高折り目２以下の部位に接近させ、上段差込板２４と上段前面板２３とを上段台面板２２に接近させ、
・下段差込板１３を第３切込３９から抜いて、下段台面板１２を下前折り目１４で下方へ折り、下段台面板１２と下段差込板１３を下段前面板１１に接近させ、
・側面板３１を側面途中高折り目３で下方へ折り、
・側面板３１を側面折り目３８で内側へ折ることにより、
図３に示すように、背面板２１に対して他の面板が接近した折畳状態になり、その折畳状態の祭壇１の高さは背面途中高折り目２の高さレベルとなる。
【００２８】
［比較例］
図５〜図６に示す比較例の祭壇１００は、背面板２１と側面板３１に、実施例には設けられた背面途中高折り目２と側面途中高折り目３が設けられておらず、左右の第３部材３０の後フランジ板３３と第２部材２０の背面板２１の左右の側縁部とがそれらの上端まで接着剤で接着されており、折畳状態の高さが背面板２１の高さレベルとなる点において実施例と相違し、その他は実施例と共通するものである。
【００２９】
この祭壇１００は、組立状態の見た目は、図１に示す実施例の祭壇１と同様である。
【００３０】
この祭壇１００は、在庫保管・出荷運搬時には、図５〜図６に示すようにして、折畳状態にすることができる。すなわち、
・上段差込板２４を第３切込３９から抜いて、背面板２１を上後折り目２５で下方へ折り、上段台面板２２と上段差込板２４と上段前面板２３を背面板２１に接近させ、
・下段差込板１３を第３切込３９から抜いて、下段台面板１２を下前折り目１４で下方へ折り、下段台面板１２と下段差込板１３を下段前面板１１に接近させ、
・側面板３１を側面折り目３８で内側へ折ることにより、
図６に示すように、背面板２１に対して他の面板が接近した折畳状態になり、その折畳状態の祭壇１００の高さは背面板２１の高さとなる。
【００３１】
以上のとおり、実施例の祭壇１は、比較例の祭壇１００と比べて、折畳状態の高さを約７５％にすることできるので、在庫保管・出荷運搬時に嵩張らないという優れた効果を奏する。
【００３２】
なお、本考案は前記実施例に限定されるものではなく、考案の要旨から逸脱しない範囲で適宜変更して具体化することができる。
【符号の説明】
【００３３】
１    祭壇
２    背面途中高折り目
３    側面途中高折り目
１０    第１部材
１１    下段前面板
１２    下段台面板
１３    下段差込板
１４    下前折り目
１５    下後折り目
１６    第１切込
２０    第２部材
２１    背面板
２２    上段台面板
２３    上段前面板
２４    上段差込板
２５    上後折り目
２６    上前折り目
２７    境界
２８    第２切込
３０    第３部材
３１    側面板
３２    前フランジ板
３３    後フランジ板
３４    前折り目
３５    後折り目
３６    低部
３７    高部
３８    側面折り目
３９    第３切込
【図１】
0003223461.tif 000003
【図２】
0003223461.tif 000004
【図３】
0003223461.tif 000005
【図４】
0003223461.tif 000006
【図５】
0003223461.tif 000007
【図６】
0003223461.tif 000008